(57)【特許請求の範囲】
【請求項１】
固定電話回線に接続される親機、および前記親機との間で無線通信可能な少なくとも１台の子機を含んだ電話システムであって、
前記親機に設けられた、前記子機に含まれる充電池をワイヤレス充電可能な充電部と、
前記子機に設けられたディスプレイと、
前記ディスプレイの表示を制御するための制御手段とを備え、
前記充電部は、前記子機の、前記ディスプレイの設けられた面である第１の面を前記親機に向け前記第１の面と異なる第２の面を外側に向けた第１のセット状態と、前記第２の面を前記親機に向け前記第１の面を外側に向けた第２のセット状態との両状態で前記子機を前記親機の上にセット可能に成形されており、
前記制御手段は、前記充電池の充電中に前記子機を前記第１のセット状態でセットするよう前記ディスプレイにガイド表示を行なう、電話システム。
【請求項２】
前記充電部は、前記第１のセット状態での充電効率が前記第２のセット状態での充電効率よりも高いように構成されている、請求項１に記載の電話システム。
【請求項３】
前記充電部および前記子機は、前記第１のセット状態と前記第２のセット状態とで、前記充電池と前記充電部との位置関係が異なるように成形されている、請求項２に記載の電話システム。
【請求項４】
前記充電部に含まれる充電面は、前記第１のセット状態で前記子機がセットされたときに前記子機の長手方向の一方の端面と接するよう成形されており、
前記第２のセット状態での、前記子機の前記端面のうちの前記充電面へ接する面積は、前記第１のセット状態での接する面積よりも少ない、請求項３に記載の電話システム。
【請求項５】
前記充電部は前記子機に対して長手方向に離れた少なくとも２か所で接触することで前記子機を前記親機の上にセット可能であり、
前記子機の長手方向の軸は、曲率中心が前記第１の面の向く側にある曲率を有する、請求項３または４に記載の電話システム。
【発明の詳細な説明】
【技術分野】
【０００１】
この発明は電話システムに関し、特に、親機と子機とがコードレス通信する電話システムに関する。
【背景技術】
【０００２】
コードレス通信する親機と子機とを含んだ電話システムにおける子機はユーザの通話に用いられ、親機は子機を充電するための充電部を有している。たとえば、特開２００８−２１１９２８号公報（以下、特許文献１）は、充電式のコードレス電話装置を開示している。
【先行技術文献】
【特許文献】
【０００３】
【特許文献１】特開２００８−２１１９２８号公報
【発明の概要】
【発明が解決しようとする課題】
【０００４】
一般的に、子機は通話時以外には親機上にセットされ、充電されている。その状態で電話システムはリビングなどの居室内に置かれることが多いため、デザイン性が重視される。
【０００５】
また、子機はユーザの通話に用いられるため、デザイン性に加えて使い勝手の良さも要求される。
【０００６】
本発明はこのような問題に鑑みてなされたものであって、デザイン性とユーザの使い勝手とを両立する電話システムを提供することを目的としている。
【課題を解決するための手段】
【０００７】
上記目的を達成するために、本発明のある局面に従うと、電話システムは、固定電話回線に接続される親機、および親機との間で無線通信可能な少なくとも１台の子機を含む。電話システムは、親機に設けられた、子機に含まれる充電池をワイヤレス充電可能な充電部と、子機に設けられたディスプレイと、ディスプレイの表示を制御するための制御手段とを備える。充電部は、子機の、ディスプレイの設けられた面である第１の面を親機に向け第１の面と異なる第２の面を外側に向けた第１のセット状態と、第２の面を親機に向け第１の面を外側に向けた第２のセット状態との両状態で子機を親機の上にセット可能に成形されており、制御手段は、充電池の充電中に子機を第１のセット状態でセットするようディスプレイにガイド表示を行なう。
【０００８】
好ましくは、充電部は、第１のセット状態での充電効率が第２のセット状態での充電効率よりも高いように構成されている。
【０００９】
より好ましくは、充電部および子機は、第１のセット状態と第２のセット状態とで、充電池と充電部との位置関係が異なるように成形されている。
【００１０】
より好ましくは、充電部に含まれる充電面は、第１のセット状態で子機がセットされたときに子機の長手方向の一方の端面と接するよう成形されており、第２のセット状態での、子機の端面のうちの充電面へ接する面積は、第１のセット状態での接する面積よりも少ない。
【００１１】
好ましくは、充電部は子機に対して長手方向に離れた少なくとも２か所で接触することで子機を親機の上にセット可能であり、子機の長手方向の軸は、曲率中心が第１の面の向く側にある曲率を有する。
【００１２】
好ましくは、制御手段は子機のセット状態を検出し、子機が第２のセット状態であるときにはディスプレイにガイド表示を行ない、第１のセット状態であるときには行なわない。
【００１３】
好ましくは、電話システムは親機とは別体で形成された、子機を充電するための充電台をさらに含み、制御手段は子機が親機の充電部へセットされているか充電台にセットされているかを検出し、子機が親機の充電部へセットされているときにはディスプレイにガイド表示を行ない、充電台にセットされているときには行なわない。
【発明の効果】
【００１４】
この発明によると、親機と子機とがコードレスで通信可能な電話システムであって、子機を親機に設けられた充電部にセットして充電する際に第１のセット状態と第２のセット状態とが可能であるとき、第２のセット状態においてユーザに対して機能やデザイン上優位な第１のセット状態とすることを効率的に促すことができるため、デザイン性とユーザの使い勝手とを両立させることができる。
【図面の簡単な説明】
【００１５】
【図１】実施の形態にかかる電話システムの具体例（Ａ）と、変形例（Ｂ）とを示す図である。
【図２】電話システムに含まれる子機の概略図である。
【図３】電話システムに含まれる親機の概略図である。
【図４】親機への子機の第１のセット状態を表わした図である。
【図５】親機への子機の第２のセット状態を表わした図である。
【図６】第１のセット状態（Ａ）および第２のセット状態（Ａ）の、爪部と子機との関係を説明するための概略断面図である。
【図７】子機の装置構成の具体例を示すブロック図である。
【図８】親機の装置構成の具体例を示すブロック図である。
【図９】充電部での充電方法を説明するための図（Ａ）、および充電部、充電池それぞれに含まれるコイルの位置関係を規定するパラメータを説明するための図（Ｂ）〜（Ｄ）である。
【図１０】ガイド表示の具体例を表わした図である。
【図１１】第２のセット状態でのガイドの状態（Ａ）、第１のセット状態でガイドの状態（Ｂ）を表わした図である。
【発明を実施するための形態】
【００１６】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１７】
＜装置形状の説明＞
図１（Ａ）は、本実施の形態にかかる電話システム１の具体例を示す図である。図１（Ａ）を参照して、電話システム１は、子機１００と親機２００とを含む。親機２００は固定電話回線に接続される。子機１００は親機２００に登録されており、子機１００と親機２００とは無線通信で接続される。子機１００と親機２００との間の無線通信は、たとえば、ＤＥＣＴ（Digital  Enhanced  Cordless  Telecommunications）方式と呼ばれるデジタルコードレス電話規格に従った無線通信や、Ｂｌｕｅｔｏｏｔｈ（登録商標）などの無線通信などが該当する。
【００１８】
親機２００は、机や壁などの平面上に設置可能なように面状に成形された設置面を有し、机や壁などの平面に設置されて用いられる。子機１００は、少なくとも通話時には親機２００から分離して用いられる。親機２００には後述する充電部６が設けられ、充電部６に子機１００がセットされることで、子機１００が充電される。
【００１９】
なお、図１（Ａ）は、親機２００に子機１００を充電するための充電部６（図３参照）に加えてディスプレイ２Ｂ（図３参照）やボタン３Ｂ（図３参照）が備えられて、親機２００もユーザの操作対象となり得る例が示されているが、図１（Ｂ）に示されたように、親機２００には充電部６のみ備えられてディスプレイ２Ｂやボタン３Ｂがなくてもよい。
【００２０】
図１では電話システム１に子機１００が１台含まれている例が示されているが、電話システム１は子機を複数台含んでもよい。複数の子機の中には親機２００と上記の無線通信が可能な携帯電話機やいわゆるスマートホンなどと呼ばれる多機能端末が含まれてもよい。また、電話システム１に複数台の子機が含まれる場合、これら子機の間で親機２００を介さない無線通信が可能であってもよい。さらに、電話システム１には、親機２００とは別体で、図１（Ｂ）の親機２００のような、子機１００を充電するための充電台が含まれてもよい。
【００２１】
図２は、子機１００の概略図である。図２（Ａ）は、子機１００のある一面（第１面）側から見た図であり、第１面を正面とする。すなわち、図２（Ａ）は、子機１００の正面図である。図２（Ｂ）は、子機１００を上記第１面に接した面から見た図、つまり側面図である。図２（Ｃ）は、子機１００を上記第１面の反対側の面から見た図、つまり背面図である。図２（Ａ）〜図２（Ｃ）を参照して、子機１００の正面にはスピーカ１Ａとディスプレイ２Ａとボタン３Ａとマイク４とが配される。子機１００の背面にはスピーカ１Ｂが配される。子機１００内部の、長手方向（軸方向）の一方端よりには、充電池５が設置されている。
【００２２】
子機１００は、通話時には、正面がユーザの顔（耳および口）に向くようにして耳に押し当てられて用いられることが想定されている。また、操作時（たとえば架電時等）には、正面がユーザに向けられて用いられることが想定されている。そのため、スピーカ１Ａ、ディスプレイ２Ａ、ボタン３Ａ、およびマイク４は、その順で軸方向に並んで配置される。好ましくは、子機１００は、ヒトの顔側部のカーブに沿うように、後述する正面側（ディスプレイ２Ａ等が配される側の面）を内側として軸方向に円弧状に、やや湾曲した形状を呈している。すなわち、第１面である表面の向く側を曲率中止として、長手方向の軸が曲率を有している。これにより、通話時に、顔のカーブに沿ってユーザの耳および口にそれぞれスピーカ１Ａおよびマイク４が接近するようになる。
【００２３】
図３は、親機２００の概略図である。図３（Ａ）は、親機２００を上記設置面とは異なるある一面から見た図であり、この面を正面とする。すなわち、図３（Ａ）は、親機２００の正面図である。図３（Ｂ）は親機２００の側面図である。図３（Ａ）および図３（Ｂ）を参照して、親機２００の正面には、ディスプレイ２Ｂとボタン３Ｂとが配される。さらに、親機２００の正面には、子機１００をセット可能に成形され、子機１００内の充電池５をワイヤレス充電可能な充電部６が設けられる。
【００２４】
詳しくは、充電部６の正面側は面状に形成され、その面よりも突出した形状の爪部７が設けられている。爪部７の正面側は、子機１００の対応する位置の形状に応じた形状に成形されている。充電部６の上記面の端部には、上記面に対して角度を有する、充電面である充電部壁６Ａが形成されている。充電部壁６Ａ内には充電機８が設置されている。
【００２５】
充電時、子機１００は、正面または背面が充電部６の正面側の面に向かい、充電池５が設置されている側の端部が充電部壁６Ａに当接するように充電部６に載荷される。充電部６は上記のように親機２００の正面に設けられているため、充電時には、親機２００の正面に子機１００が置かれるようにセットされることになる。
【００２６】
図４および図５は、親機２００への子機１００のセット状態を説明するための図である。図４（Ａ）および図４（Ｂ）は第１のセット状態、図５（Ａ）および図５（Ｂ）は第２のセット状態を表わしている。第１のセット状態は、子機１００の正面を親機２００の充電部６側に向け、子機１００の背面を親機２００の正面に向けてセットした状態を指す。この状態では、親機２００の正面からは子機１００の背面が見える。図４（Ａ）は第１のセット状態にある電話システム１を親機２００の正面から見た図であり、図４（Ｂ）は親機２００の側面から見た図である。第２のセット状態は、子機１００の背面を親機２００の充電部６側に向け、子機１００の正面を親機２００の正面に向けてセットした状態を指す。この状態では、親機２００の正面からは子機１００の正面が見える。図５（Ａ）は第２のセット状態にある電話システム１を親機２００の正面から見た図であり、図５（Ｂ）は親機２００の側面から見た図である。図４（Ｂ）および図５（Ｂ）を参照して、子機１００は、充電池５が設置されている側の端部が充電部壁６Ａと当接し、正面または背面の一部が爪部７と当接する。すなわち、充電部６は、長手方向に離れた少なくとも２か所で子機１００と接触することで子機１００をセット可能である。これにより、子機１００の親機２００に対する位置が固定される。
【００２７】
さらに図４（Ｂ）および図５（Ｂ）を参照して、充電面である充電部壁６Ａは、子機１００が第１のセット状態で親機２００の充電部６にセットされたときに（図４（Ｂ））に子機１００の端部と接する角度で形成されている。上記のように子機１００は正面の向く側を曲率中心とした曲率を有している、すなわち、軸方向に円弧状に湾曲している。そのため、図５（Ｂ）に表わされたように第２のセット状態となると、子機１００の端部と充電部壁６Ａとの接触状態は変化する。すなわち、子機１００の端部と充電部壁６Ａとの接触面積は第１のセット状態のときの接触面積よりも小さくなる。また、子機１００の端部の法線方向と充電部壁６Ａの法線方向とのなす角度も第１のセット状態のときのその角度よりも大きくなる。
【００２８】
図６（Ａ）および図６（Ｂ）は、それぞれ、第１のセット状態および第２のセット状態の、爪部７と子機１００との関係を説明するための概略断面図である。図６（Ａ）および図６（Ｂ）の断面図は、充電部６にセットされた状態の子機１００を、爪部７を含む、子機１００の軸に直交する方向の断面を表わす概略図である。
【００２９】
図６（Ａ）および図６（Ｂ）を参照して、子機１００の匡体は、正面側は概ね平面を呈し、背面側は曲面を呈している。この形状によって、通話時や架電のための操作時などには子機１００の背面がユーザの手のひらにフィットし、平面に配置されたディスプレイ２Ｂやボタン３Ｂをユーザは視認することになるため、ユーザの使い勝手が向上する。
【００３０】
爪部７の正面側は、子機１００の正面側の形状に応じて平面に成形されている。それ故、図６（Ａ）に表わされたように、子機１００の親機２００へのセット状態が第１のセット状態である場合には、平面である子機１００の正面と爪部７の正面とが面状に当接することになるため、安定して充電部６に子機１００がセットされることになる。
【００３１】
一方、図６（Ａ）に表わされたように、子機１００の親機２００へのセット状態が第２のセット状態である場合には、曲面である子機１００の背面と平面である爪部７の正面とが当接することになるため、接触面積が第１のセット状態のときよりも小さくなる。それ故、子機１００の充電部６に対するセット状態が第１のセット状態よりも不安定となり、子機１００の端部と充電部壁６Ａとの位置関係が第１のセット状態での位置関係と異なるものとなりやすくなる。
【００３２】
＜装置構成の説明＞
図７および図８は、それぞれ、子機１００および親機２００の装置構成の具体例を示すブロック図である。
【００３３】
図７を参照して、子機１００は、装置全体を制御するためのＣＰＵ（Central  Processing  Unit）１０と、ＣＰＵ１０で実行されるプログラムや電話帳データなどを記憶するためのメモリであるＲＯＭ（Read  Only  Memory）１１と、着信履歴を記憶したりＣＰＵ１０でプログラムを実行する際の作業領域となったりするメモリであるＲＡＭ（Random  Access  Memory）１２と、ディスプレイ２Ａと、スピーカ１Ａと、マイク４と、ボタン３Ａと、充電池５と、親機２００や図示しない他の子機との間で無線通信を行なうための通信部１３とを含む。
【００３４】
図８を参照して、親機２００は、装置全体を制御するためのＣＰＵ２０と、ＣＰＵ２０で実行されるプログラムなどを記憶するためのメモリであるＲＯＭ２１と、ＣＰＵ２０でプログラムを実行する際の作業領域ともなるメモリであるＲＡＭ２２と、ディスプレイ２Ｂと、ボタン３Ｂと、充電機８と、子機１００との間で無線通信を行なうための第１通信部２３と、固定電話回線を介した通信を行なうための第２通信部２４とを含む。
【００３５】
＜動作概要＞
上記のように、子機１００は親機２００に対して、正面に向かう面の異なる第１のセット状態と第２のセット状態との両状態でセット可能である。いずれのセット状態であっても親機２００の充電部６は子機１００を充電可能であるが、機能またはデザイン上、第１のセット状態の方が第２のセット状態よりも優位である。ここでの優位性は、特定の特性に着目したものに限定されず、機能およびデザイン、またはその組み合わせ等に関する様々な特性が含まれる。たとえば、子機１００および親機２００の形状が上記のような形状であるため、第１のセット状態の方が第２のセット状態よりも充電効率が高いことが挙げられる。また、他の例として、子機１００の正面側にスピーカ１Ａ、マイク４、およびボタン３Ａが配置されているために正面側に埃や水などがかかることが好ましくないことから、第１のセット状態の方が第２のセット状態よりも設置上、優位であることが挙げられる。また、他の例として、子機１００の軸方向に湾曲していることから第１のセット状態の方が第２のセット状態よりもユーザの使い勝手がよい（親機２００から持ち上げやすい）ことが挙げられる。
【００３６】
以下では、上記のような特性のうちの充電効率を具体例として説明する。本実施の形態にかかる電話システム１は、第１のセット状態の方が第２のセット状態よりも充電効率が高いときに、第１のセット状態で子機１００を親機２００にセットするようガイドする。
【００３７】
＜動作の説明＞
充電部６は、充電池５をワイヤレス充電可能である。この充電方法は、無接点給電や非接触給電やワイヤレス給電などとも呼ばれ、電磁誘導を利用する電磁誘導方法や、磁界結合に共振条件を考慮した共鳴方式や、無線で電力を送出する無線電波方式などの方法がある。一例として、充電部６は電磁誘導方式を採用するものとする。
【００３８】
すなわち、充電部６は、子機１００の端部が充電部壁６Ａに当接されることで、機械的な接続なく充電池５を充電する。この方式での充電のために、図９（Ａ）に表わされたように、充電池５と充電機８とのそれぞれにコイル５Ａ，８Ａが含まれる。
【００３９】
図９（Ａ）は、電磁誘導方式を採用した充電部６での充電方法を説明するための図である。図９（Ａ）を参照して、充電部６は、充電時に充電機８に含まれるコイル８Ａに電流を流す。これによりコイル８Ａには磁束が生じる。充電部６は、この磁束を媒介として充電池５内のコイル５Ａに起電力を生じさせ、蓄電させる。このとき、両コイル８Ａ，５Ａ間に位置ずれがあると充電効率が低下する。
【００４０】
図９（Ｂ）〜図９（Ｄ）は、コイル５Ａ，８Ａの位置関係を規定するパラメータを説明するための図である。すなわち、図９（Ｂ）はコイル５Ａ，８Ａの巻きを含む平面が平行であるときの両コイル間の距離ｄ１を表わし、図９（Ｃ）はコイル５Ａ，８Ａの巻きを含む平面が平行であるときの一方のコイル（たとえばコイル８Ａ）の中心から他方のコイル（たとえばコイル５Ａ）までの距離ｄ２を表わし、図９（Ｄ）は両コイル５Ａ，８Ａそれぞれの軸のなす角度ｒを表わしている。充電効率は、すなわちコイル５Ａ，８Ａの巻きを含む平面が平行に近く、コイル間の距離が小さく、かつ、コイル５Ａ，８Ａの重なる面積が大きいほど高くなる。コイル８Ａに生じた磁束によってコイル５Ａの磁束の変化を大きくすることができるためである。それ故、角度ｒが小さいほど充電効率は大きくなり、充電可能な角度ｒの範囲がコイルの特性や与える電流によって規定される。また、距離ｄ１が小さいほど充電効率は大きくなり、充電可能な距離ｄ１の範囲がコイルの特性や与える電流によって規定される。また、距離ｄ２は両コイルの中心が重なる長さであるほど充電効率は大きくなり、充電可能な距離ｄ２はコイルの特性（特に巻き径）や与える電流によって規定される。実際の電話システムでは、最も充電効率が高くなる距離ｄ１として、たとえば４ｍｍ〜５ｍｍ程度が想定されている。充電可能な距離ｄ１としては、たとえば１５ｍｍ程度以下が想定され、距離ｄ２はたとえば１５ｍｍ程度以下が想定され、角度ｒはたとえば４５度程度以下が想定されている。
【００４１】
充電部壁６Ａ内に設置された充電機８に含まれるコイル８Ａは、第１のセット状態で子機１００がセットされたときの子機１００の充電池５内のコイル５Ａに対して上記のように充電効率ができるだけ高くなるような位置関係となるように設置されている。なお、好ましくは、充電部６は、第２のセット状態で子機１００がセットされたときにも両コイル５Ａ，８Ａの関係が上記の充電可能な範囲となるよう成形されている。
【００４２】
第１のセット状態で子機１００が充電部６にセットされると、設計された（高い）充電効率で充電池５が充電されることになる。しかしながら、第２のセット状態で子機１００が充電部６にセットされると、上記のように子機１００の長手方向の軸が曲率を有していることから、子機１００の端部と充電部壁６Ａとの位置関係が第１のセット状態のときの位置関係と異なってくる。そのため、コイル５Ａ，８Ａの位置関係が異なってくる。このとき、上記のように第１のセット状態での充電効率が最も高くなるようにコイル８Ａが設置されているので、第２のセット状態となると充電効率が第１のセット状態での充電効率よりも低くなる。したがって、充電時、子機１００は第１のセット状態で充電部６にセットされることが好ましい。
【００４３】
そこで、本実施の形態にかかる電話システム１は、第２のセット状態で子機１００が充電部６にセットされたとき、すなわち、子機１００のディスプレイ２Ａの配された面が正面側となるように親機２００の充電部６におかれた場合（図５（Ａ），（Ｂ））、第１のセット状態、すなわち、反対向きに子機１００をセットすることを促すガイドをユーザに対して報知する。
【００４４】
この報知のため、一例として、子機１００のＣＰＵ１０は、子機１００が充電中であるときに、ディスプレイ２Ａにガイド表示を行なう。図１０は、ガイド表示の具体例を表わした図である。図１０を参照して、ＣＰＵ１０は、たとえば「充電時はこの面を下向きに置いて下さい」などのガイド表示を行なう。ＣＰＵ１０は、充電池５の電池残量を監視するなどして充電中であることを検出すると第１のセット状態であるか第２のセット状態であるかを検出する処理を行なうことなく、図１０のガイド表示を行なうようにしてよい。
【００４５】
図１１は、電話システム１でのガイドを説明するための図であって、図１１（Ａ）は第２のセット状態でのガイドの状態、図１１（Ｂ）は第１のセット状態でガイドの状態を表わした図である。図１１（Ａ）を参照して、充電効率の低い第２のセット状態ではディスプレイ２Ａを含んだ子機１００の正面が正面を向いているために、ユーザはガイド表示を正面から視認可能となる。そのため、ユーザに対してガイドが報知されることになる。一方、図１１（Ｂ）を参照して、充電効率の高い第１のセット状態ではディスプレイ２Ａを含んだ子機１００の正面が親機２００側を向いているために、ユーザはガイド表示を正面から視認することができない。そのため、上記ガイド表示がなされていてもユーザに報知はなされない。なお、図１１にも表わされているように、充電時、親機２００のＣＰＵ２０は、子機１００から充電中である通知を受け付けて、その旨を表わすメッセージ（たとえば「充電中」など）をディスプレイ２Ｂに表示するようにしてもよい。
【００４６】
なお、ＣＰＵ１０は、充電中であることを検出すると第１のセット状態であるか第２のセット状態であるかを検出し、第２のセット状態であることが検出されると図１０のガイド表示を行なうようにしてもよい。ＣＰＵ１０は、たとえば、子機１００の正面または背面に照度センサを配置し、照度センサからのセンサ信号が示す照度が所定照度以上であるときに子機１００の照度センサが設置された側の面が正面を向き、上記所定照度に満たないときに上記面が親機２００側を向いているとして、第１のセット状態または第２のセット状態を検出するようにしてもよい。また、他の例として、子機１００の正面または背面の爪部７に相当する位置に押圧センサを配置し、その押圧センサからのセンサ信号に基づいて第１のセット状態または第２のセット状態を検出するようにしてもよい。
【００４７】
また、上記のように、電話システム１に親機２００とは別体の子機１００を充電するための充電台が含まれている場合、当該充電台で子機１００が充電されているときには上記のようなガイド表示は不要となる。そこで、子機１００のＣＰＵ１０は、充電中であることが検出されると、親機２００の充電部６での充電であるか図示しない充電台での充電であるかを検出し、充電部６での充電であると検出されると上記のようにガイド表示を行なうようにしてもよい。このとき、一例としてＣＰＵ１０は、図示しない親機２００の子機１００との無線通信用のアンテナでの通信強度に基づいて、子機１００が親機２００の充電部６にセットされているか別体の充電台にセットされているかを検出するようにしてもよい。この場合、好ましくは、上記アンテナは充電部６近傍に配置されるものとする。また、他の例として、上記と同様に子機１００の背面に照度センサを配置して、上記照度センサからのセンサ信号が示す照度が所定照度に満たないときには第２のセット状態であると検出してガイド表示を行ない、上記所定照度以上のときには第１のセット状態、または親機２００ではない充電台にセットされていると検出するようにしてもよい。
【００４８】
＜実施の形態の効果＞
ＣＰＵ１０このような表示制御を行なうことで、たとえば充電効率の低いなど、優位性の低い第２のセット状態で子機１００が親機２００の充電部６にセットされているときに効果的にユーザにより優位な第１のセット状態とすることを促すことができる。これにより、図示したように、デザイン性や持ちやすさなどに考慮したデザインの結果、セット状態によって充電効率に差がある場合であっても効果的に充電効率の高いセット状態をガイドすることができ、デザイン性と使い勝手とを両立させることができる。
【００４９】
このときに、ＣＰＵ１０は、第１のセット状態であるか第２のセット状態であるかを検出する処理を行なうことなく、第２のセット状態で正面を向く側の子機１００の面（正面）に配されたディスプレイにガイド表示を行なうことで、セット状態を検出するための処理を不要として効果的に優位なセット状態をガイドすることができる。
【００５０】
または、ＣＰＵ１０は、第１のセット状態であるか第２のセット状態であるかを検出して第２のセット状態であると検出された場合にガイド表示を行なうことで、不要なガイド表示を行なうことなく効果的に優位なセット状態をガイドすることができる。さらに、さらに、親機２００とは別体の充電台が電話システム１に含まれるときにＣＰＵ１０が上記充電台にセットされているか親機２００の充電部６にセットされているかを検出して親機２００の充電部６にセットされていると検出された場合にガイド表示を行なうことで、不要なガイド表示を行なうことなく効果的に優位なセット状態をガイドすることができる。
【００５１】
＜他の例＞
子機１００のＣＰＵ１０に上記の表示制御を実行させるためのプログラムを提供することもできる。このプログラムをインストールすることで、既存の電話システムでも同様のガイド表示が実現される。そのため、既存の電話システムの子機が上記のように親機の充電部へのセット状態によって充電効率が異なる場合に、該プログラムをインストールすることで上記のようなガイド表示がなされることになり、使い勝手を向上させることができる。
【００５２】
プログラム製品は、プログラム自体と、プログラムが記録された記録媒体とを含む。すなわち、プログラムは、一例として固定電話回線を介してダウンロードによって親機２００にダウンロードされた後、子機１００に無線通信で配信されてもよい。また、他の例として、インターネットなどのネットワークや着脱式のメモリなどによって、いったん、携帯電話機やモバイル端末などに配布され、そのような装置から子機１００に対して無線通信で配信されてもよい。
【００５３】
なお、本発明にかかるプログラムは、他のプログラムに組み込まれるプログラムの一部（モジュール）であって、当該他のプログラムの一部に組み込まれて提供されるものであってもよい。または、モジュールだけが提供されて、他のプログラムの一部に組み込まれて（またはそのモジュール部分が書き換えられて）用いられてもよい。このような他のプログラムに組み込まれた（組み込まれる）プログラムも、本発明にかかるプログラムに含まれ得る。
【００５４】
＜まとめ＞
本発明の局面は、次のように表わすことができる。
【００５５】
（１）
固定電話回線に接続される親機（親機２００）、および親機との間で無線通信可能な少なくとも１台の子機（子機１００）を含んだ電話システムであって、
親機に設けられた、子機に含まれる充電池をワイヤレス充電可能な充電部（充電部６）と、
子機に設けられたディスプレイ（ディスプレイ２Ａ）と、
ディスプレイの表示を制御するための制御手段（ＣＰＵ１０）とを備え、
充電部は、子機の、ディスプレイの設けられた面である第１の面（正面）を親機に向け第１の面と異なる第２の面（裏面）を外側に向けた第１のセット状態と、第２の面を親機に向け第１の面を外側に向けた第２のセット状態との両状態で前記子機を前記親機の上にセット可能に成形されており、
制御手段は、充電池の充電中に子機を第１のセット状態でセットするようディスプレイにガイド表示を行なう、電話システム。
【００５６】
（１）にかかる電話システムは、デザイン性とユーザの使い勝手とを両立させることができる。
【００５７】
（２）
充電部は、第１のセット状態での充電効率が第２のセット状態での充電効率よりも高いように構成されている、（１）に記載の電話システム。
【００５８】
（２）にかかる電話システムは、充電効率の観点で優位なセット状態となるようガイド表示を行なうことができる。
【００５９】
（３）
充電部および子機は、第１のセット状態と第２のセット状態とで、充電池と充電部との位置関係が異なるように成形されている、（２）に記載の電話システム。
【００６０】
（３）にかかる電話システムは、デザイン性とユーザの使い勝手とを両立させることができる。
【００６１】
（４）
充電部に含まれる充電面（充電部壁６Ａ）は、第１のセット状態で子機がセットされたときに子機の長手方向の一方の端面と接するよう成形されており、
第２のセット状態での、子機の端面のうちの充電面へ接する面積は、第１のセット状態での接する面積よりも少ない、（３）に記載の電話システム。
【００６２】
（４）にかかる電話システムは、デザイン性とユーザの使い勝手とを両立させることができる。
【００６３】
（５）
充電部は子機に対して長手方向に離れた少なくとも２か所で接触することで子機を親機の上にセット可能であり、
子機の長手方向の軸は、曲率中心が第１の面の向く側にある曲率を有する、（３）または（４）に記載の電話システム。
【００６４】
（５）にかかる電話システムは、デザイン性とユーザの使い勝手とを両立させることができる。
【００６５】
（６）
制御手段は、子機のセット状態を検出し、子機が第２のセット状態であるときにはディスプレイにガイド表示を行ない、第１のセット状態であるときには行なわない、（１）に記載の電話システム。
【００６６】
（６）にかかる電話システムは、効率的にガイド表示を行なうことができる。
（７）
親機とは別体で形成された、子機を充電するための充電台をさらに含み、
制御手段は、子機が親機の充電部へセットされているか充電台にセットされているかを検出し、子機が親機の充電部へセットされているときにはディスプレイにガイド表示を行ない、充電台にセットされているときには行なわない、（１）に記載の電話システム。
【００６７】
（７）にかかる電話システムは、効率的にガイド表示を行なうことができる。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６８】
１  電話システム、１Ａ，１Ｂ  スピーカ、２Ａ，２Ｂ  ディスプレイ、３Ａ，３Ｂ  ボタン、４  マイク、５  充電池、５Ａ，８Ａ  コイル、６  充電部、６Ａ  充電部壁、７  爪部、８  充電機、１０，２０  ＣＰＵ、１３  通信部、１１２，１  ＲＯＭ、１２，２２  ＲＡＭ、２３  第１通信部、２４  第２通信部、１００  子機、２００  親機。
【図１】
0006053164.tif 000002
【図２】
0006053164.tif 000003
【図３】
0006053164.tif 000004
【図４】
0006053164.tif 000005
【図５】
0006053164.tif 000006
【図６】
0006053164.tif 000007
【図７】
0006053164.tif 000008
【図８】
0006053164.tif 000009
【図９】
0006053164.tif 000010
【図１０】
0006053164.tif 000011
【図１１】
0006053164.tif 000012